(57)【特許請求の範囲】
【請求項１】
カウンタに取り付ける後付け棚であって、側面視Ｌ字状の上側支持板の下面をカウンタの上面に当て、側面視Ｌ字状の下側支持板の上面をカウンタの下面に当て、上側支持板と下側支持板の共に上方に突出させてある屈折部分同士を固定するとともに、棚本体を、上側支持板と下側支持板の上記屈折部分により支持させて成ることを特徴とする後付け棚。
【発明の詳細な説明】
【技術分野】
【０００１】
本発明は、カウンタに取り付ける後付け棚に関する。
【背景技術】
【０００２】
カウンタが設置される浴室等において、例えば濡れることに問題がない物品はカウンタ上に置くが、余り濡らしたくないと考える物品については該カウンタよりも上方に置くことが望ましい。これに対して、従来においては、カウンタよりも上方の壁面に後付けすることが行われている。壁面に棚を取り付けるためには、例えば吸盤を用いるという手法や、両面テープを用いるという手法が用いられる。
【０００３】
しかし、上記のような従来の後付け棚では、吸盤の吸着力や両面テープの粘着力を十分に確保できない場合が多く、棚自体が壁面から落下してしまうという問題がある。そこで、既設のカウンタに対して後付け棚を固着するという手法も考えられる。ところが、この場合には既設のカウンタ自体が、棚を固着するための専用構造を有する必要がある（例えば、特許文献１参照）。つまり、棚を固着できるようなボルト孔等の専用構造を有するカウンタにのみ取付可能なものであって、汎用性に欠けるという問題がある。
【特許文献１】特開２００３−１１６７３７号公報
【発明の開示】
【発明が解決しようとする課題】
【０００４】
本発明は上記問題点に鑑みて発明したものであって、既設のカウンタの種類に関わらず、該カウンタに対して容易に、且つ落下等することなく確実に取り付けることのできる後付け棚を提供することを、課題とするものである。
【課題を解決するための手段】
【０００５】
上記課題を解決するために本発明を、カウンタ２に取り付ける後付け棚であって、側面視Ｌ字状の上側支持板４の下面４ａをカウンタ２の上面２ａに当て、側面視Ｌ字状の下側支持板５の上面５ａをカウンタ２の下面２ｂに当て、上側支持板４と下側支持板５の共に上方に突出させてある屈折部分４ｂ，５ｂ同士を固定するとともに、棚本体３を、上側支持板４と下側支持板５の上記屈折部分４ｂ，５ｂにより支持させて成るものとする。
【０００６】
上記構成の後付け棚にあっては、カウンタ２を上下に挟持させた状態で上側支持板４と下側支持板５を固定し、この上側支持板４と下側支持板５の屈折部分４ｂ，５ｂに棚本体３を装着するといった、簡単な手順で取り付けることができる。そして、この上側支持板４と下側支持板５はカウンタ２を上下に挟持して固定されることから、傾いて落下等することなく確実に取り付けられる。加えて、カウンタ２側には特別な構造が必要なく、また、厚みが相違する種類のカウンタ２に対しても同様の手順で取り付けることができるので、十分な汎用性を有するものとなる。
【発明の効果】
【０００７】
本発明の後付け棚は、側面視Ｌ字状の上側支持板の下面をカウンタの上面に当て、側面視Ｌ字状の下側支持板の上面をカウンタの下面に当て、上側支持板と下側支持板の共に上方に突出させてある屈折部分同士を固定するとともに、棚本体を、上側支持板と下側支持板の上記屈折部分により支持させる構成としたので、既設のカウンタが特別な構造を有するものである必要がなく、また厚み等の種類に影響されることもなく、該カウンタに対して容易に取り付けることができる。加えて、カウンタを上側支持板と下側支持板で上下に挟持するので、落下等することなく確実に取り付けることができる。
【発明を実施するための最良の形態】
【０００８】
以下、本発明を添付図面に示す実施形態に基づいて説明する。図２には、本発明の実施形態における一例の後付け棚をカウンタに後付けした状態を示している。このように、本例の後付け棚は、浴室等の壁面１に既設のカウンタ２を利用し、このカウンタ２に対して棚本体３を後付けする構造である。棚本体３は、カウンタ２よりも上方に位置しており、余り濡らしたくないと考える物品を載置することのできる配置となっている。
【０００９】
図１、図３に示すように、棚本体３をカウンタ２に取り付けるための構造には、共に側面視Ｌ字状を成す上側支持板４と下側支持板５とを用いる。取り付けに際してはまず、上側支持板４を、その水平部分の下面４ａ全体がカウンタ２の上面２ａに当たるように載置する。このとき、上側支持板４の上方に屈折する部分（以下「屈折部分４ｂ」という）が、カウンタ２の先端側（図示例ではカウンタ２の前端側）に位置するように設ける。
【００１０】
次に、下側支持板５を、その水平部分の上面５ａ全体がカウンタ２の下面２ｂに当たるように保持する。このとき、下側支持板５の上方に屈折する部分（以下「屈折部分５ｂ」という）が、上側支持板４と同じくカウンタ２の先端側に位置するとともに、該カウンタ２を跨いでその上方にまで突出するように設ける。
【００１１】
カウンタ２は、上側支持板４と下側支持板５との間で上下に挟持される状態となり、該カウンタ２の先端側上方の箇所においては、上側支持板４と下側支持板５の互いの屈折部分４ｂ，５ｂが前後に対向して位置するようになる。ここで、図３（ｂ）に示すブッシング１０を用い、該ブッシング１０を被せることで上側支持板４と下側支持板５の互いの屈折部分４ｂ，５ｂを、前後に付き合わせた状態で固定する。つまり、上記ブッシング１０は、互いの屈折部分４ｂ，５ｂを固定するための保持力を付与する保持部材を成す。
【００１２】
なお、ブッシング１０は下端縁にフランジ部１０ａを有する筒型の弾性体であって、一箇所に切り込みを入れて分割させている。したがって、該切り込み部分を挟む両側を掴んで側方に引っ張れば、図３（ｂ）に示すように該切り込み部分が外側に開き、手を離せば切り込み部分を塞ぐように元の形に復帰する。このブッシング１０を、上側支持板４と下側支持板５の両屈折部分４ｂ，５ｂに被せて固定するには、図３（ｂ）のように切り込み部分を開いた状態で両屈折部分４ｂ，５ｂに被せ、フランジ部１０ａが上側支持板４の上面４ａに当たる位置で手を離せばよい。
【００１３】
棚本体３は、平坦な上面６ａを有する平板状の棚部６と、棚部６の下面６ｂ中央部から下方に突設される筒状の支持部７とで主体を成している。支持部７の中央部には嵌合穴８を下方に開口させており、この嵌合穴８内に、ブッシング１０を被せて固定した状態にある両屈折部分４ｂ，５ｂを挿入する。ブッシング１０は上側から下側にゆく程に厚みを増して径が大きくなるように設けているので、嵌合穴８内にブッシング１０を深く挿入するほどに該ブッシング１０に加わる外力が強くなり、両屈折部分４ｂ，５ｂを固定状態に保持するための保持力が強まる。
【００１４】
つまり、棚本体３を装着する前段階では、下側支持板５が脱落しないようにブッシング１０により両屈折部分４ｂ，５ｂを仮固定させておき、棚本体３を装着した時点で、棚本体３及び該棚本体３上に載置される物品の重量が加わっても落下することがない程度にまで、強固に固定することができる。
【００１５】
なお、このように強固に固定される上側支持板４と下側支持板５は、カウンタ２の先端部を上下に挟持するので傾くことがなく、棚本体３の棚部６の上面６ａを水平姿勢に保持するものとなる。
【００１６】
更に、下側支持板５の水平部分の長さ寸法は、上側支持板４の水平部分の長さ寸法よりも十分に長くしており、カウンタ２を上下に挟持した際に、下側支持板５の先端が上側支持板４の先端よりも後側に位置するように設けてある。これにより、下側支持板５が前方に傾いて脱落することを更に確実に防止している。
【００１７】
上記構成の後付け棚によれば、棚本体３を支持させようとするカウンタ２の厚みに関わらず、上側支持板４及び下側支持板５をカウンタ２の上下面２ａ，２ｂに当ててブッシング１０で固定し、上方から棚本体３を装着させるだけの簡単な作業で後付けを完了することができる。しかも、上側支持板４と下側支持板５でカウンタ２を強固に挟持して、脱落することなく棚本体３を安定的に支持することができる。
【００１８】
カウンタ２から後付け棚を取り外す場合には、棚本体３を上方に持ち上げて嵌合穴８からブッシング１０を抜けばよい。つまり、上記構成の後付け棚であれば、カウンタ２に対して容易に着脱自在であって、カウンタ２に対する装着箇所を変更することも容易である。
【図面の簡単な説明】
【００１９】
【図１】本発明の実施形態における一例の後付け棚の設置状態を示す断面図である。
【図２】同上の後付け棚の設置状態を示す斜視図である。
【図３】（ａ）は同上の後付け棚全体の斜視図、（ｂ）はブッシングの斜視図である。
【符号の説明】
【００２０】
２  カウンタ
２ａ  上面
２ｂ  下面
３  棚本体
４  上側支持板
４ａ  下面
４ｂ  屈折部分
５  下側支持板
５ａ  上面
５ｂ  屈折部分
【図１】
0004981586.tif 000002
【図２】
0004981586.tif 000003
【図３】
0004981586.tif 000004